(57)【要約】  本発明は、タイムスロット化されたフレーム構造である通信システムに適用するアップリンク周波数ホッピング伝送を実現する方を開示した。当該方法は、ネットワーク側から割り当てられた周波数帯域と周波数ホッピングパターンとを受信し、前記周波数ホッピングパターンに従って、予め分割された第１時間区間内で割り当てられた一つの周波数帯域においてアップリンク伝送を行った後、予め分割された第２時間区間内で割り当てられたもう一つの周波数帯域にホッピングして伝送を行う。本発明は更に、アップリンク周波数ホッピング伝送のシステム及び端末を提供した。本発明によれば、ロング・タイム・エボリューション（ＬＴＥ）プロジェクトにおける代替フレーム構造要素の内の一つの伝送時間間隔で周波数ホッピングを実現させ、周波数ダイバーシティ利得が得られるようになる。【選択図】図５
2010518712.tif 000002
【特許請求の範囲】
【請求項１】
タイムスロット化されたフレーム構造を有する通信システムに適用するアップリンク周波数ホッピング伝送の方法において、
ネットワーク側から割り当てられた周波数帯域と周波数ホッピングパターンとを受信し、
周波数ホッピングパターンに従い、予め分割された第１時間区間内で、割り当てられた一つの周波数帯域においてアップリンク伝送を行った後、予め分割された第２時間区間内で、もう一つの周波数帯域にホッピングして伝送を行う、
ことを特徴とするアップリンク周波数ホッピング伝送方法。
【請求項２】
端末は、予めタイムスロットを時間軸上で第１時間区間と第２時間区間とに分割する、ことを特徴とする請求項１に記載のアップリンク周波数ホッピング伝送方法。
【請求項３】
ネットワーク側は、二つの周波数帯域及び周波数ホッピングパターンを端末に割り当て、周波数帯域毎に少なくとも一つのリソースユニットを含み、前記いずれかの周波数帯域におけるリソースユニットが二つ以上であれば、前記リソースユニットが周波数帯域において継続的であり、
前記割り当てられた周波数帯域と周波数ホッピングパターンとを端末に通知する、
ことを特徴とする請求項１又は請求項２に記載のアップリンク周波数ホッピング伝送方法。
【請求項４】
前記フレーム構造が、ロング・タイム・エボリューション（Ｌｏｎｇ  Ｔｅｒｍ  Ｅｖｏｌｕｔｉｏｎ，ＬＴＥ）プロジェクトにおける代替フレーム構造であれば、
タイムスロットにおける第４長ブロック及びその前の部分を第１時間区間とし、第４長ブロックより後の部分を第２時間区間として分割することで、前記タイムスロットを時間軸上で第１時間区間と第２時間区間とに分割する、
ことを特徴とする請求項２に記載のアップリンク周波数ホッピング伝送方法。
【請求項５】
ビット情報マッピングテーブルで、割り当てられた二つの周波数帯域に含まれるリソースユニットを示す、前記ビット情報マッピングテーブルを端末に通知することで、割り当てられた周波数帯域を前記端末に通知することが実現できる、
ことを特徴とする請求項３に記載のアップリンク周波数ホッピング伝送方法。
【請求項６】
１ビットの情報で、低周波数帯域から高周波数帯域にホッピングし、又は、高周波数帯域から低周波数帯域にホッピングすることを示し、
前記ビット情報を前記端末に通知することで、前記周波数ホッピングパターンを端末に通知する、
ことを特徴とする請求項３に記載のアップリンク周波数ホッピング伝送方法。
【請求項７】
第１時間区間内で使われた周波数帯域におけるリソースユニットの終始番号と、第２時間区間内で使われた周波数帯域におけるリソースユニットの終始番号とを端末に通知することで、前記割り当てられた周波数帯域と周波数ホッピングパターンとを前記端末に通知する、
ことを特徴とする請求項３に記載のアップリンク周波数ホッピング伝送方法。
【請求項８】
第１時間区間内で使われた周波数帯域におけるリソースユニットの初番号と数、及び第２時間区間内で使われた周波数帯域におけるリソースユニットの初番号と数を端末に通知することで、前記割り当てられた周波数帯域と周波数ホッピングパターンとを端末に通知する、
ことを特徴とする請求項３に記載のアップリンク周波数ホッピング伝送方法。
【請求項９】
前記端末が予め分割された第１時間区間内で割り当てられた周波数帯域においてアップリンク伝送を行った後、予め分割された第２時間区間内で割り当てられたもう一つの周波数帯域にホッピングして行うアップリンク伝送は、更に、
予め分割された第１時間区間と第２時間区間とにおいて、前記端末が当該端末に対応するアイドル周波数帯域における短ブロック上で前記端末のアップリンク参照符号を伝送することを含む、
ことを特徴とする請求項１に記載のアップリンク周波数ホッピング伝送方法。
【請求項１０】
前記端末に対応するアイドル周波数帯域における短ブロック上で伝送される前記端末のアップリンク参照符号は、更に、
前記端末のアップリンク参照符号ともう一つの端末のアップリンク参照符号とが前記短ブロックにおいて多重化されることを含む、
ことを特徴とする請求項９に記載のアップリンク周波数ホッピング伝送方法。
【請求項１１】
前記二つの周波数帯域は周波数領域において隣接する、
ことを特徴とする請求項９又は請求項１０に記載のアップリンク周波数ホッピング伝送方法。
【請求項１２】
アップリンク周波数ホッピング伝送のシステムにおいて、
ネットワーク側と、端末とを含み、更に、端末は、ディスパッチ情報受信転送ユニットと、アップリンク周波数ホッピング伝送ユニットとを含み、ネットワーク側は、周波数帯域一括割り当てユニットと、周波数ホッピングパターン割り当てユニットと、ディスパッチ情報送信ユニットとを含み、
前記周波数帯域一括割り当てユニットは、二つの周波数帯域を割り当てることに用いられ、各周波数帯域は少なくとも一つのリソースユニットを含み、且つ一つの周波数帯域におけるリソースユニットが二つ以上であれば、前記リソースユニットが周波数帯域において継続的であり、
前記周波数ホッピングパターン割り当てユニットは、周波数ホッピングパターンを割り当てることに用いられ、
前記ディスパッチ情報送信ユニットは、割り当てられた周波数帯域と周波数ホッピングパターンとを端末に送信することに用いられ、
前記ディスパッチ情報受信転送ユニットは、割り当てられた周波数帯域と周波数ホッピングパターンとを受信し、アップリンク周波数ホッピング伝送ユニットに転送することに用いられ、
前記アップリンク周波数ホッピング伝送ユニットは、周波数ホッピングパターンに従い、予め分割された第１時間区間内で割り当てられた一つの周波数帯域において伝送を行った後、予め分割された第２時間区間内で割り当てられたもう一つの周波数帯域にホッピングして伝送する、
ことを特徴とするアップリンク周波数ホッピング伝送システム。
【請求項１３】
前記端末は、予めタイムスロットを時間軸上で第１時間区間と第２時間区間とに分割するタイムスロット時間区間分割ユニットを含む、
ことを特徴とする請求項１２に記載のアップリンク周波数ホッピング伝送システム。
【請求項１４】
割り当てられた周波数帯域と周波数ホッピングパターンとを受信し、且つアップリンク周波数ホッピング伝送ユニットに転送させるディスパッチ情報受信転送ユニットと、
周波数ホッピングパターンに従い、予め分割された第１時間区間内で割り当てられた一つの周波数帯域において伝送を行った後、予め分割された第２時間区間内で、割り当てられたもう一つの周波数帯域にホッピングして伝送するアップリンク周波数ホッピング伝送ユニットと、を含む、
ことを特徴とするアップリンク周波数ホッピング伝送端末。
【請求項１５】
前記端末は、予めタイムスロットを時間軸上で第１時間区間と第２時間区間とに分割するタイムスロット時間区間分割ユニットを更に含む、
ことを特徴とする請求項１４に記載のアップリンク周波数ホッピング伝送端末。
【請求項１６】
アップリンク周波数ホッピング伝送のシステムにおいて、
前記システムは、端末と、ネットワーク側とを含み、更に、端末は、ディスパッチ情報受信・解析・転送ユニットと、アップリンク周波数ホッピング伝送ユニットとを含み、ネットワーク側は、周波数帯域順番割り当てユニットと、ディスパッチ情報送信ユニットとを含み、
前記周波数順番割り当てユニットは、時間区間の順番に従い、順次に二つの周波数帯域を割り当て、各周波数帯域は少なくとも一つのリソースユニットを含み、且ついずれかの周波数帯域でのリソースユニットが二つ以上であれば、前記リソースユニットが周波数帯域において継続的であり、
前記ディスパッチ情報送信ユニットは、割り当てられた周波数帯域を端末に送信することに用いられ、
前記ディスパッチ情報受信・解析・転送ユニットは、送信されて来た周波数帯域を受信し、且つ二つの周波数帯域の時間区間の順番から周波数ホッピングパターンを解析し、割り当てられた周波数帯域と解析された周波数ホッピングパターンとをアップリンク周波数ホッピング伝送ユニットに転送し、
前記アップリンク周波数ホッピング伝送ユニットは、周波数ホッピングパターンに従い、予め分割された第１時間区間内で割り当てられた一つの周波数帯域において伝送を行った後、予め分割された第２時間区間内で割り当てられたもう一つの周波数帯域にホッピングして伝送する、
ことを特徴とするアップリンク周波数ホッピング伝送システム。
【請求項１７】
前記端末は、予めタイムスロットを時間軸上で第１時間区間と第２時間区間とに分割するタイムスロット時間区間分割ユニットを更に含む、
ことを特徴とする請求項１６に記載のアップリンク周波数ホッピング伝送システム。
【請求項１８】
送信されて来た周波数帯域を受信し、且つ二つの周波数帯域時間区間の順番から周波数ホッピングパターンを解析し、割り当てられた周波数帯域と解析された周波数ホッピングパターンとをアップリンク周波数ホッピング伝送ユニットに転送するディスパッチ情報受信・解析・転送ユニットと、
周波数ホッピングパターンに従い、予め分割された第１時間区間において、割り当てられた一つの周波数帯域において伝送を行なった後、予め分割された第２時間区間において、割り当てられたもう一つの周波数帯域にホッピングして伝送を行うアップリンク周波数ホピング伝送ユニットと、を含む、
こと特徴とするアップリンク周波数ホッピング伝送端末。
【請求項１９】
前記端末は、予めタイムスロットを時間軸上で第１時間区間と第２時間区間とに分割するタイムスロット時間区間分割ユニットを更に含む、
ことを特徴とする請求項１８に記載のアップリンク周波数ホッピング伝送端末。
【発明の詳細な説明】
【技術分野】
【０００１】
本発明は、無線通信における伝送方法に係り、特に、アップリンク周波数ホッピング伝送の方法、システム及び端末に関する。
【０００２】
世界的に、無線通信は、移動化、広帯域化及びＩＰ化（Ｉｎｔｅｒｎｅｔ  Ｐｒｏｔｏｃｏｌ，インターネット・プロトコル）に進化しつつあり、移動通信業界における競争は激しくなる一方である。移動通信業界での競争力と主導権を維持するため、第三世代パートナーシッププロジェクト（Ｔｈｅ  ３ｒｄ  Ｇｅｎｅｒａｔｉｏｎ  Ｐａｒｔｎｅｒ  Ｐｒｏｊｅｃｔ，３ＧＰＰ）団体は、ロング・ターム・エボリューション（Ｌｏｎｇ  Ｔｅｒｍ  Ｅｖｏｌｕｔｉｏｎ，ＬＴＥ）計画に着手し始めた。ＬＴＥは、データ伝送率、時間遅延、システム容量とカバリッジ範囲を一層改善させる上でより低いコストを実現することを目指すものである。
【０００３】
ＬＴＥ目標を達成するために重要な研究課題の一つは、無線リンクにおけるデータの伝送方式にある。従来のＬＴＥ方案においては、分散型（Ｄｉｓｔｒｉｂｕｔｅｄ）伝送方式の代わりに、集中型（Ｌｏｃａｌｉｚｅｄ）と周波数ホッピング方式との結合方式によりデータを伝送するようにした。一つの時間区間において、伝送データの帯域幅が継続的であることが集中型（Ｌｏｃａｌｉｚｅｄ）の特徴である。周波数ホッピングは、伝送データの搬送波が一定の帯域幅内でホッピングすることにより，減衰の影響を軽減し、干渉を均一化し、周波数ダイバーシティ利得を取得する。具体的には、一つの送信時間間隔（Ｔｒａｎｓｍｉｓｓｉｏｎ  Ｔｉｍｅ  Ｉｎｔｅｒｖａｌ，ＴＴＩ）において、伝送ブロックを異なる周波数帯域におけるサブフレーム上で送信する。
【０００４】
ＬＴＥは、タイムスロット化されたフレーム構造を採用した通信システムであり、二重化方式の違いによって、周波数分割二重化方式と時分割二重化方式とに分けられる。時分割二重化方式を採用する場合、そのフレーム構造は、汎用フレーム構造（Ｇｅｎｅｒｉｃ  Ｆｒａｍｅ  Ｓｔｒｕｃｔｕｒｅ）と、代替フレーム構造（Ａｌｔｅｒｎａｔｉｖｅ  Ｆｒａｍｅ  Ｓｔｒｕｃｔｕｒｅ）の２種類である。下記では、汎用フレーム構造（Ｇｅｎｅｒｉｃ  Ｆｒａｍｅ  Ｓｔｒｕｃｔｕｒｅ）及びそのホッピング伝送方式について説明する。図１は、当該構造を示す図である。図１に示すように、一つ１０ｍｓの無線フレームは、同じ長さのサブフレーム（タイムスロットとも呼ぶ）を２０個（図１に示す＃０〜＃１９を参照）含み、各サブフレームの長さは０．５ｍｓである。一つのＴＴＩ内で、伝送ブロックは、連続した二つのサブフレーム上で伝送される。且つ、当該方式のＴＴＩは、１ｍｓであることで、二つのサブフレームの長さと同じである。図２は、当該方式におけるホッピング送信伝送を示す図である。図２に示すように、二つのサブフレームが存在する周波数帯域が異なるため、第１サブフレームの存在する周波数帯域をＢ、第２サブフレームの存在する周波数帯域をＡと表記し、且つその二つの周波数帯域が周波数領域内では継続的である。そうすると、集中型（Ｌｏｃａｌｉｚｅｄ）伝送要求も満たすし、周波数ダイバーシティ利得も得られるのである。
【０００５】
代替フレーム構造（Ａｌｔｅｒｎａｔｉｖｅ  Ｆｒａｍｅ  Ｓｔｒｕｃｔｕｒｅ）のフレーム構造は、図３に示すように、一つ１０ｍｓの無線フレームは５ｍｓの無線サブフレームを２個含み、各無線サブフレームは更にそれぞれ、３個の専用タイムスロット（図３に示したＤｗＰＴＳ、ＧＰ及びＵｐＰＴＳを参照）と、７個の一般タイムスロット（図３に示したＴＳ０〜ＴＳ６を参照）とを備える。一般タイムスロットは、データ伝送に用いられ、各一般タイムスロットの長さは０．６７５ｍｓである。当該方式における一つのＴＴＩ内で、一つの伝送ブロックは、一つのサブフレーム中の一つのタイムスロット内で送信される。
【発明の概要】
【発明が解決しようとする課題】
【０００６】
上記方式における一つのＴＴＩ内で、一つの伝送ブロックを保有するサブフレームが一つのみであり、そのサブフレームは従来の方法でホッピングできないため、周波数ダイバーシティ利得を取得できない。また、異なるサブフレームの間でホッピングしても、異なるサブフレームに保有された同一伝送ブロックは同一のＴＴＩ内に存在しないため、一つの伝送ブロックに対して、ホッピング方式により利得を発生させることができない。
【課題を解決するための手段】
【０００７】
本発明は、上記課題に鑑みてなされたものであって、その目的は、従来の技術におけるアップリンクできないという欠陥を克服できるアップリンク周波数ホッピング伝送の方法、システム及び端末を提供することにある。
【０００８】
上記課題を解決するため、本発明に係るアップリンク周波数ホッピング伝送の方法、システム及び端末は下記のように実現できる。
【０００９】
タイムスロット化されたフレーム構造を有する通信システムに適用するアップリンク周波数ホッピング伝送の方法において、
ネットワーク側から割り当てられた周波数帯域と周波数ホッピングパターンとを受信し、
周波数ホッピングパターンに従って、予め分割された第１時間区間内で、割り当てられた一つの周波数帯域においてアップリンク伝送を行った後、予め分割された第２時間区間内で、もう一つの周波数帯域にホッピングして伝送を行うアップリンク周波数ホッピング伝送を実現する伝送方法。
【００１０】
好ましくは、端末は、予めタイムスロットを時間軸上で第１時間区間と第２時間区間とに分割する。
【００１１】
好ましくは、ネットワーク側は、二つの周波数帯域及び周波数ホッピングパターンを端末に割り当て、周波数帯域毎に少なくとも一つのリソースユニットを含み、前記いずれかの周波数帯域におけるリソースユニットが二つ以上であれば、前記リソースユニットが周波数帯域において継続的であり、
前記割り当てられた周波数帯域と周波数ホッピングパターンとを端末に通知する。
【００１２】
好ましくは、タイムスロットにおける第４長ブロック及びその前の部分を第１時間区間とし、第４長ブロックより後の部分を第２時間区間として分割することで、前記タイムスロットを時間軸上で第１時間区間と第２時間区間とに分割する。
【００１３】
好ましくは、ビット情報マッピングテーブルにより、割り当てられた二つの周波数に含まれたリソースユニットの関連情報を示し、当該ビット情報マッピングテーブルを端末に通知することで、割り当てられた周波数帯域を前記端末に通知することが実現できる。
【００１４】
好ましくは、１ビットの情報で、低周波数帯域から高周波数帯域にホッピングし、又は、高周波数帯域から低周波数帯域にホッピングすることを示し、又、
前記ビット情報を前記端末に通知することで、前記周波数ホッピングパターンを端末に通知する。
【００１５】
好ましくは、第１時間区間内で使われた周波数帯域におけるリソースユニットの終始番号と第２時間区間内で使われた周波数リソースユニットの終始番号とを端末に通知することで、前記割り当てられた周波数帯域と周波数ホッピングパターンとを前記端末に通知する。
【００１６】
好ましくは、第１時間区間内で使われた周波数帯域におけるリソースユニットの初番号と数、及び第２時間区間内で使われた周波数帯域におけるリソースユニットの初番号と数を端末に通知することで、前記割り当てられた周波数帯域と周波数ホッピングパターンとを端末に通知する。
【００１７】
好ましくは、前記端末は予め分割された第１時間区間内で割り当てられた周波数帯域においてアップリンク伝送を行った後、予め分割された第２時間区間内で割り当てられたもう一つの周波数帯域にホッピングして行うアップリンク伝送は、更に、
予め分割された第１時間区間と第２時間区間では、前記端末は当該端末に対応するアイドル周波数帯域における短ブロックにおいて前記端末のアップリンク参照符号を伝送する。
【００１８】
好ましくは、前記端末に対応するアイドル周波数帯域における短ブロック上で伝送される前記端末のアップリンク参照符号は、更に、
前記端末のアップリンク参照符号ともう一つの端末のアップリンク参照符号は前記短ブロックにおいて多重化される。
【００１９】
好ましくは、前記二つの周波数帯域は、周波数領域において隣接する。
【００２０】
ネットワーク側と、端末とを含み、更に、端末は、ディスパッチ情報受信転送ユニットと、アップリンク周波数ホッピング伝送ユニットとを含み、ネットワーク側は、周波数帯域一括割り当てユニットと、周波数ホッピングパターンユニットと、ディスパッチ情報送信ユニットとを含み、その中で、
前記周波数帯域一括割り当てユニットは、二つの周波数帯域を割り当てることに用いられ、各周波数帯域は、少なくとも一つのリソースユニットを含み、且ついずれかの周波数帯域におけるリソースユニットが二つ以上であれば、前記リソースユニットが周波数帯域において継続的であり、
前記周波数ホッピングパターン割り当てユニットは、周波数ホッピングパターンを割り当てることに用いられ、
前記ディスパッチ情報送信ユニットは、割り当てられた周波数帯域と周波数ホッピングパターンとを端末に送信し、
前記ディスパッチ受信転送ユニットは、割り当てられた周波数帯域と周波数ホッピングパターンとを受信し、且つアップリンク周波数ホッピング伝送ユニットに転送し、
前記アップリンク周波数ホッピング伝送ユニットは、周波数ホッピングパターンに従って、予め分割された第１時間区間内内で割り当てられた一つの周波数帯域において伝送を行った後、予め分割された第２時間区間内で割り当てられたもう一つの周波数帯域にホッピングして伝送するアップリンク周波数ホッピング伝送のシステム。
【００２１】
好ましくは、前記端末は、予めタイムスロットを時間軸上で第１時間区間と第２時間区間とに分割するタイムスロット時間区間分割ユニットを含む。
【００２２】
割り当てられた周波数帯域と周波数ホッピングパターンとを受信し、且つアップリンク周波数ホッピング転送ユニットに転送させるディスパッチ情報受信転送ユニットと、
周波数ホッピングパターンに従って、予め分割された第１時間区間内で割り当てられた一つの周波数帯域において伝送を行った後、予め分割された第２時間区間内で、もう一つの周波数帯域にホッピングして伝送するアップリンク周波数ホッピング伝送ユニットと、を含むアップリンク周波数ホッピング伝送の端末。
【００２３】
好ましくは、前記端末は、予め一つのタイムスロットを時間軸上で第１時間区間と第２時間区間とに分割するタイムスロット時間区間分割ユニットを更に含む。
【００２４】
前記システムは、端末と、ネットワーク側とを含み、更に、端末は、ディスパッチ情報受信・解析・転送ユニットと、アップリンク周波数ホッピング伝送ユニットとを含み、ネットワーク側は、周波数帯域順番割り当てユニットと、ディスパッチ情報送信ユニットとを含み、その中で、
前記周波数順番割り当てユニットは、時間区間の順番に従って、順次に二つの周波数帯域を割り当て、各周波数帯域は少なくとも一つのリソースユニットを含み、且つ一つの周波数帯域でのリソースユニットが二つ以上であれば、前記リソースユニットが周波数帯域において継続的であり、
前記ディスパッチ情報送信ユニットは、割り当てられた周波数帯域を端末に送信し、
前記ディスパッチ情報受信・解析・転送ユニットは、送信されて来た周波数帯域を受信し、且つ二つの周波数帯域の時間区間の順番から周波数ホッピングパターンを解析し、割り当てられた周波数帯域と解析された周波数ホッピングパターンとをアップリンク周波数ホッピング伝送ユニットに転送し、
前記アップリンク周波数ホッピングユニットは、周波数ホッピングパターンに従って予め分割された第１時間区間内で割り当てられた一つの周波数帯域において伝送を行った後、予め分割された第２時間区間内でもう一つの周波数帯域にホッピングして伝送するアップリンク周波数ホッピング伝送のシステム。
【００２５】
好ましくは、前記端末は予めタイムスロットを時間軸上で第１時間区間と第２時間区間に分割するタイムスロット時間区間分割ユニットを更に含む。
【００２６】
送信されて来た周波数帯域を受信し、且つ二つの周波数帯域時間区間順番から周波数ホッピングパターンを解析し、割り当てられた周波数帯域と解析された周波数ホッピングパターンとをアップリンク周波数ホッピング伝送ユニットに伝送するディスパッチ情報受信・解析・転送ユニットと、
周波数ホッピングパターンに従って、予め分割された第１時間区間内で割り当てられた一つの周波数帯域において伝送を行なった後、予め分割された第２時間区間内で割り当てられたもう一つの周波数帯域にホッピングして伝送を行うアップリンク周波数ホッピング伝送ユニットと、を含むアップリンク周波数ホッピング伝送の端末。
【００２７】
好ましくは、前記端末は、予めタイムスロットを時間軸上で第１時間区間と第２時間区間とに分割するタイムスロット時間区間分割ユニットを更に含む。
【００２８】
上記本発明の技術案からわかるように、本発明は予めタイムスロットを時間軸上で第１時間区間と第２時間区間とに分割し、周波数帯域毎に一つ以上の継続的なリソースユニット（Ｒｅｓｏｕｒｃｅ  Ｕｎｉｔ，ＲＵ）を含む二つの周波数帯域を割り当て、当該割り当てられた周波数帯域と周波数ホッピングパターンとを端末に通知し、端末は周波数ホッピングパターンに従って、第１時間区間において、割り当てられた一つの周波数帯域上で伝送を行った後、第２時間区間において、割り当てられたもう一つの周波数帯域上で伝送することで、代替フレーム構造（Ａｌｔｅｒｎａｔｉｖｅ  Ｆｒａｍｅ  Ｓｔｒｕｃｔｕｒｅ）システムにおける一つのＴＴＩ内での周波数ホッピングを実現させ、周波数ダイバーシティ利得が得られるようになる。
【図面の簡単な説明】
【００２９】
【図１】従来技術における汎用フレーム構造を示す図である。
【図２】従来技術に係る汎用フレーム構造における周波数ホッピング伝送を示す図である。
【図３】従来技術における代替フレーム構造を示す図である。
【図４−１】本発明における代替フレーム構造に係るタイムスロットの構造図であり、短ＣＰの状態を示す。
【図４−２】本発明における代替フレーム構造に係るタイムスロットの構造図であり、長ＣＰの状態を示す。
【図５】本発明に係る方法のフローチャートである。
【図６−１】本発明に係る一つのタイムスロットを時間軸上で二つの区間に分割した後のタイムスロットの構造図であり、短ＣＰの状況を示す。
【図６−２】本発明に係る一つのタイムスロットを時間軸上で二つの区間に分割した後のタイムスロットの構造図であり、長ＣＰの状況を示す。
【図７】本発明に係るＳＢが周波数ホッピングをしない伝送を示す図である。
【図８】本発明に係る第１実施形態のシステムのブロック図である。
【図９】本発明に係る第２実施形態のシステムのブロック図である。
【図１０】本発明に係る第１実施形態の端末を示すブロック図である。
【図１１】本発明に係る第２実施形態の端末を示すブロック図である。
【発明を実施するための形態】
【００３０】
本発明のアップリンク周波数ホッピング伝送の方法は、予めタイムスロットを時間軸上で第１時間区間と第２時間区間とに分割し、周波数毎に一つ以上の継続的なＲＵを含む周波数帯域を割り当て、且つ当該周波数帯域と周波数パターンとを端末に通知する。端末は、周波数ホッピングパターンによって、予め分割された第１時間区間内で割り当てられた一つの周波数帯域上で伝送を行った後、予め分割された第２時間区間内で割り当てられたもう一つの周波数帯域上で伝送を行う。
【００３１】
当業者には既知のように、送信待ちの伝送ブロックは、付加デバッグコードとチャネルコーディング処理過程をかける必要があるが、周波数ダイバーシティ利得の取得には、デバッグコードとチャネルコーディングの結合が必要である。一つのＴＴＩにおける伝送ブロック内でのデータの分布帯域幅が、データを保有するサブフレーム周波数領域の帯域幅より大きい場合、伝送ブロックのデータを保有するサブフレームより大きい部分は、選択的減衰が発生される。デバッグコードとチャネルコーディングによって、一部の選択的減衰を克服することができ、チャネルを復号する時に、周波数領域上の選択的減衰のない伝送情報から復号利得を取得することで、周波数帯域ダイバーシティ利得を取得するのと同等な効果になる。具体的には、図２に示すように、一つのＴＴＩ内では、第１時間区間での一部伝送ブロックは周波数帯域Ｂの上で伝送され、第２時間区間で、もう一部の伝送ブロックは周波数帯域Ａの上で伝送されるため、ＴＴＩ内での周波数ホッピングにより周波数ダイバーシティ利得が得られるようになる。しかし、ＴＴＩの間には、異なる伝送ブロックがあり、異なる伝送ブロックのデバッグコーディングが相違するため、異なるデバッグコード及びチャネルコーディングにより選択的減衰を克服することができない。従って、周波数ダイバーシティ利得を取得することもできなくなる。上述の原因で、代替フレーム構造（Ａｌｔｅｒｎａｔｉｖｅ  Ｆｒａｍｅ  Ｓｔｒｕｃｔｕｒｅ）状況には、従来の方法で周波数ダイバーシティを取得することができない。
【００３２】
当業者に本発明を一層良く理解させるため、本発明の説明に入る前に、まず下記の技術を説明する。
【００３３】
まず、代替フレーム構造（Ａｌｔｅｒｎａｔｉｖｅ  Ｆｒａｍｅ  Ｓｔｒｕｃｔｕｒｅ）における一つのタイムスロットの構造を説明する。当該構造を短ＣＰと長ＣＰの状況別に、図４−１と図４−２にそれぞれ示す。二つの状況ともＣＰ、ＳＢ、ＬＢ、ＴＩを含む。ＬＴＥは、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）技術を利用し、ＣＰは、マルチパスにより引き起こされたコード間の干渉を克服するために各ＯＦＤＭコード間に加入された循環接頭コードであることは、当業者において既知である。ＳＢ（Ｓｈｏｒｔ  Ｂｌｏｃｋ）は短ブロックであり、主にパイロット周波数を伝送に使い、ＬＢ（Ｌｏｎｇ  Ｂｌｏｃｋ）は長ブロックであり、主にデータ伝送とシグナリング制御に使われる。ＳＢの長さはＬＢの半分であり、ＴＩはタイムスロット間の時間間隔である。短ＣＰを採用する場合には、一つのタイムスロットに７個の長ブロックと２個の短ブロックを有し、長ＣＰを採用する場合には、一つのタイムスロットに８個の長ブロックと２個の短ブロックを有する。
【００３４】
また、代替フレーム構造（Ａｌｔｅｒｎａｔｉｖｅ  Ｆｒａｍｅ  Ｓｔｒｕｃｔｕｒｅ）システムに対して、一つのサブフレームにおけるアップリンク物理リソースは周波数帯域上で複数のＲＵに分割され、一つのＲＵは、一つのタイム領域上では１タイムスロットの長さであり（即ち０．６７５ｍｓ）、周波数帯域上では搬送波をｋ個含み、例えばｋを１２にできる。ディスパッチに利便性を図るため、従来の技術は、一つのタイムスロット内の全てのＲＵに順番を付け、周波数帯域における継続的なＲＵの番号も連続的である。そうすると、アップリンク集中型（Ｌｏｃａｌｉｚｅｄ）上で伝送する時、基地局は物理リソースをディスパッチし、１グループの継続ＲＵを端末に割り当ててアップリンク伝送を行う。本発明におけるアップリンク周波数ホッピング伝送の方法では、ＲＵの割り当ても考えるべきである。
【００３５】
下記では図面に関連して本発明についての説明を更に詳述する。
【００３６】
図５にアップリンク周波数ホッピング伝送における方法を示す。具体的には、
ステップ５０１で、タイムスロットを時間軸上で第１時間区間と第２時間区間とに分割する。
【００３７】
図６−１、図６−２には、１タイムスロットを時間軸上で第１、第２の時間区間に分割したタイムスロットを示す。ＬＢ１〜ＬＢ４と、ＬＢ４前のＣＰとＳＢ１を第１時間区間とし、ＬＢ５〜ＬＢ８と、ＬＢ４後のＣＰとＳＢ１を第２時間区間とする。図６−１には短ＣＰ状況を示し、図６−２には長ＣＰ状況を示す。
【００３８】
ステップ５０２で、ＲＵを含む二つの周波数帯域を割り当てる。
【００３９】
前述のように、ＲＵを含む周波数帯域を端末に割り当ててアップリンク伝送を行う必要があり、従来技術には、割り当てられたＲＵが継続的であることで、ディスパッチの便宜に寄与する。当該ステップにおいて、割り当てられた二つの周波数帯域のいずれかは少なくとも一つのＲＵを含み、二つ以上のＲＵの場合、各周波数帯域におけるＲＵは継続的である。２グループのＲＵの数は同一であっても良いし、同一でなくても良く、具体的な数はディスパッチャが割り当てる時に決められるため、ここでは説明を省略する。
【００４０】
ステップ５０３で、割り当てられた周波数帯域と周波数ホッピングパターンとを端末に通知する。
【００４１】
当該ステップでは、リソースマッピングビットマップ（ｂｉｔｍａｐ）を利用して、前記ステップにおける割り当てられたＲＵを端末に通知する。アップリンク使用可能なＲＵのトータル数を８とすれば、一つのリソースマッピングビットマップは下記の表１のように表わされる。表１は、ＲＵのリソースマッピングビットマップテーブルである。
【表１】
2010518712.tif 000003
【００４２】
その中で、指示情報０は当該ＲＵを端末に割り当てていないことを示し、指示情報１は当該ＲＵを端末に割り当てて使用されていることを示す。
【００４３】
即ち、割り当てられたＲＵがそれぞれと０、１、又は５、６である２グループであり、当該該２グループのＲＵが継続していることが表１から分かる。
【００４４】
周波数ホッピングパターンは低周波数帯域から高周波数帯域にホッピングしても良いし、高周波数帯域から低周波数帯域にホッピングしても良い。リソースマッピング指示がビットマップ方式を採用すれば、具体的な周波数ホッピングパターンを端末に通知するため、従来の技術における集中型（Ｌｏｃａｌｉｚｅｄ）状況のリソースマッピング指示に対して、１ビットの情報を追加する必要がある。例えば、指示情報０を追加すると、低周波数帯域から高周波数帯域にホッピングすることを指し、指示情報１を追加すると、高周波数帯域から低周波数帯域にホッピングすることを指すように設定できる。勿論、０と１は正反対の状況を示しても良い。
【００４５】
ＲＵのリソースマッピングの終始番号を端末に通知する方式でリソースマッピング指示を行っても良い。この場合には、集中型（Ｌｏｃａｌｉｚｅｄ）状況におけるリソースマッピング指示に対応する情報を追加することによって、第２周波数帯域でのＲＵの終始番号を示すことが必要になる。一般的に、低番号から高番号の順によってＲＵの終始番号付けを行い、第１時間区間と第２時間区間でのＲＵ終始番号情報を端末に通知することで、暗に周波数帯域パターンも端末に通知できる。
【００４６】
例えば、依然としてアップリンク使用可能なＲＵ数を０〜７、端末に通知する使用可能なＲＵをそれぞれと１〜３，５〜７とすれば、ＲＵ終始番号情報を端末に通知するリソースマッピング指示方式を次の表２に示す。表２は、低周波数帯域から高周波数帯域にホッピングする情報を示す（暗示する）リソースマッピング指示テーブルである。
【表２】
2010518712.tif 000004
【００４７】
当該表２に、第１時間区間でのＲＵは１〜３，第２時間区間でのＲＵは５〜７であることで、第１時間区間では低周波数帯域、第２時間区間では高周波数帯域を使用することが分かる。従って、当該方式では低周波数帯域から高周波数帯域にホッピングすることを示す（暗示する）。
【００４８】
反対に、端末にＲＵの終始番号情報を通知するリソースマッピング指示方式を次の表３に示す。表３は、高周波数帯域より低周波数帯域にホッピングする情報を示す（暗示する）リソースマッピング指示テーブルである。
【表３】
2010518712.tif 000005
【００４９】
当該表３に、第１時間区間でのＲＵは５〜７，第２時間区間でのＲＵは１〜３であることで、第１時間区間には高周波数帯域、第２時間区間には低周波数帯域を使用することが分かる。従って、該方式では高周波数帯域から低周波数帯域にホッピングすることを示す（暗示する）。
【００５０】
他にも、ＲＵの終始番号とＲＵの数を指示することで、周波数ホッピングパターンを示して（暗示して）も良い。次の表４に示す。表４は、低周波数帯域から高周波集帯域にホッピングする情報を示す（暗示する）リソースマッピング指示テーブルである。
【表４】
2010518712.tif 000006
【００５１】
当該表４に、第１時間区間でのＲＵの初番号が１、ＲＵの数が３とすると、第１時間区間でのＲＵは１〜３であり、第２時間区間でのＲＵの初番号が５、ＲＵの数が３とすると、第２時間区間のＲＵは５〜７であることで、第１時間区間には低周波数帯域を使用し、第２時間区間には高周波数帯域を使用することが分かる。従って、当該方式でも低周波数帯域から高周波数帯域にホッピングする周波数ホッピングパターンを示す（暗示する）。
【００５２】
高周波数帯域から低周波数帯域にホッピングする周波数ホッピングパターンは上記と類似するため、ここでは、説明を省略する。
【００５３】
ステップ５０４で、端末は周波数ホッピングパターンにより、予め分割された第１時間区間において、割り当てられた一つの周波数帯域上でアップリンク伝送を行った後、予め分割された第２時間区間において、割り当てられたもう一つの周波数帯域にホッピングして伝送を行う。
【００５４】
当該ステップにおいて、端末は、１ＴＴＩの１タイムスロットにおいて、周波数ホッピングパターンに従って、第１時間区間内で割り当てられた一つの周波数帯域上で伝送を行った後、第２時間区間内で割り当てられたもう一つの周波数帯域にホッピングして伝送を行うことで、代替フレーム構造（Ａｌｔｅｒｎａｔｉｖｅ  Ｆｒａｍｅ  Ｓｔｒｕｃｔｕｒｅ）システムにおけるアップリンク伝送の一つのＴＴＩ内での周波数ホッピングを実現させ、周波数ダイバーシティ利得を取得できるようにする。
【００５５】
当該ステップにおけるＳＢ１とＳＢ２は、周波数ホッピングパターンにより確定した時間区間と周波数帯域に従って伝送を行い、データを復調するためのアップリンク参照符号を含む端末の関連情報を保有する。また、当該ステップにおけるＳＢ１とＳＢ２が周波数ホッピングをせず、同一の周波数帯域において、二つの時間区間でのＳＢはともに伝送される。即ち、当該端末のアイドル周波数帯域において、ＳＢも伝送される。それによって、ＳＢ１とＳＢ２は同一の周波数帯域上で伝送を行うようになる。図７に示すように、第１時間区間での第２周波数帯域には第１端末のデータを伝送し、第１端末の関連参照符号がＳＢ１に含まれ、第２時間区間での第２周波数帯域には伝送されるＳＢ２も第１端末の関連参照符号を含む。同一周波数帯域における二つのＳＢにおいてともに第１端末の参照符号を伝送することで、チャンネル推定能力を向上させ、伝送能力を改善させるようにする。また、その時、第２時間区間での第２周波数帯域には、長ブロックにおいて端末のデータを伝送しなかったため、第２端末のデータを伝送することができる。同様に、第１時間区間での第１周波数帯域においても第２端末のデータを伝送することで、アップリンク周波数ホッピングにより第１ユーザーのデータを伝送する時、アイドル時間区間における周波数帯域を利用して第２ユーザーのデータを伝送し、無線リソースの使用率を向上させる。当該方式に、ＳＢにより二つの端末の関連情報を伝送すべきである。当該二つの端末の関連情報を周波数分割多重化又はコード分割多重化方式により伝送しても良い。
【００５６】
しかし、当該方式に同一端末は同一ＳＢでの不連続な周波数帯域においてそれぞれ伝送を行ったため、ＬＴＥ中のＯＦＤＭに要求された単一搬送波の特性を維持できなくなる。その単一搬送波の特性を維持するには、ディスパッチに際して、第１周波数帯域と第２周波数帯域とを接続するようにすれば良い。
【００５７】
次に、本発明におけるアップリンク周波数ホッピング伝送を実現する第１実施形態のシステムを説明する。図８に本発明のシステムを示す。
【００５８】
図８に示すように、本発明の第１実施形態のシステムは、ネットワーク側と、端末とを含む。端末は、ディスパッチ情報受信転送ユニット８０２と、アップリンク周波数ホッピング伝送ユニット８０３とを含み、好ましくは、タイムスロット時間区間分割ユニット８０１を更に含んでも良い。ネットワーク側は、周波数帯域一括割り当てユニット８０４と、周波数ホッピングパターン割り当てユニット８０３と、ディスパッチ情報送信ユニット８０６とを含む。
【００５９】
タイムスロット時間区間分割ユニット８０１は、アップリンク周波数ホッピング伝送ユニット８０３に接続し、タイムスロットを時間軸上で第１時間区間と第２時間区間とに分割する。
【００６０】
周波数帯域一括割り当てユニット８０４は、ディスパッチ情報送信ユニット８０６に接続し、二つの周波数帯域を割り当てる。各周波数帯域は少なくとも一つのリソースユニットを含み、一つの周波数帯域におけるリソースユニットは二つ以上であれば、周波数帯域においては連続している。
【００６１】
周波数ホッピングパターン割り当てユニット８０５は、ディスパッチ情報送信ユニット８０６に接続し、周波数パターンを割り当てる。
【００６２】
ディスパッチ情報送信ユニット８０６は、周波数帯域一括割り当てユニット８０４と、周波数ホッピングパターン割り当てユニット８０５と、ディスパッチ情報受信転送ユニット８０２と接続し、割り当てられた周波数帯域と周波数ホッピングパターンを端末のディスパッチ情報受信転送ユニット８０２に送信する。
【００６３】
ディスパッチ受信転送ユニット８０２は、ディスパッチ情報送信ユニット８０６に接続し、割り当てられた周波数帯域と周波数ホッピングパターンとを受信し、アップリンク周波数ホッピング伝送ユニット８０３に転送する。
【００６４】
アップリンク周波数ホッピング伝送ユニット８０３は、タイムスロット時間区間分割ユニット８０１と、ディスパッチ情報受信転送ユニット８０２とに接続し、周波数ホッピングパターンに従って、予め分割された第１時間区間における割り当てられた一つの周波数帯域において伝送を行った後、予め分割された第２時間区間でもう一つの周波数帯域にホッピングして伝送を行う。
【００６５】
当該システムを利用してアップリンク周波数ホッピング伝送の方法は前述の方法に類似するため、説明を省略する。
【００６６】
また、本発明は図９に示す第２実施形態のシステムを提供し、当該システムは、ネットワーク側と、端末とを含む。端末は、ディスパッチ情報受信・解析・転送ユニット９０１と、アップリンク周波数ホピングユニット８０２とを含み、好ましくは、タイムスロット時間区間分割ユニット８０１を更に含んでも良い。ネットワーク側は、周波数帯域順番割り当てユニット９０２と、ディスパッチ情報送信ユニット８０３とを含む。
【００６７】
周波数帯域順番割り当てユニット９０２は、ディスパッチ情報送信ユニット８０３に接続し、時間区間順に従って二つの周波数帯域を割り当て、各周波数帯域は少なくとも一つ以上のリソースユニットを含み、且つ一つの周波数帯域におけるリソースユニットは二つ以上であれば周波数領域において連続している。時間区間順に従って周波数帯域を割り当てることは、周波数ホッピングパターンを暗示できる。具体的には前述した方法と同じである。
【００６８】
ディスパッチ情報送信ユニット８０３は、割り当てられた周波数帯域を端末に送信することに用いる。
【００６９】
ディスパッチ受信・解析・転送ユニット９０１は、ディスパッチ情報送信ユニット８０３と、アップリンク周波数ホッピング伝送ユニット８０２とに接続し、送信されて来たＲＵ割り当て情報・周波数ホッピングに用いられた第１周波数帯域と第２周波数帯域とを受信し、ＲＵ割り当て情報から周波数ホッピングパターンを解析し、ＲＵ割り当て情報と、周波数ホッピングに用いられた第１周波数帯域と第２周波数帯域と、解析された周波数ホッピングパターンとをアップリンク周波数ホッピング伝送ユニット８０２に転送する。
【００７０】
アップリンク周波数ホッピング伝送ユニット８０２は、周波数ホッピングパターンに従って、予め分割された第１時間区間で割り当てられた一つの周波数帯域において伝送を行った後、予め分割された第２時間区間で割り当てられたもう一つの周波数帯域にホッピングして伝送を行う。
【００７１】
当該システムを利用してアップリンク周波数ホッピング伝送の方法は、前述に類似するため、説明を省略する。
【００７２】
次に、本発明におけるアップリンク周波数ホッピング伝送を実現する第１実施形態の端末を説明する。図１０に当該第１実施形態の端末を示す。当該端末は、前記説明した第１実施形態のシステムに対応するが、ディスパッチ情報受信転送ユニット８０２と、アップリンク周波数ホッピング伝送ユニット８０３とを含み、好ましくは、タイムスロット時間区間分割ユニット８０１を更に含んでも良い。
【００７３】
タイムスロット時間区間分割ユニット８０１は、アップリンク周波数ホッピング伝送ユニット８０３に接続し、タイムスロットを時間軸上で第１時間区間と第２時間区間とに分割する。
【００７４】
ディスパッチ情報受信転送ユニット８０２は、割り当てられた周波数帯域と周波数ホッピングパターンとを受信し、且つアップリンク周波数ホッピング伝送ユニット８０３に転送する。
【００７５】
アップリンク周波数ホッピング伝送ユニット８０３は、タイムスロット時間区間分割ユニット８０１と、ディスパッチ情報受信転送ユニット８０２とに接続し、周波数ホッピングパターンに従って、予め分割された第１時間区間における割り当てられた一つの周波数帯域において伝送を行った後、予め分割された第２時間区間で割り当てられたもう一つの周波数帯域において伝送を行う。
【００７６】
次に、本発明におけるアップリンク周波数ホッピング伝送を実現する第２実施形態の端末を説明する。図１１に当該端末を示す。当該端末は、前記説明した第２システムに対応し、ディスパッチ情報受信・解析・転送ユニット９０１と、アップリンク周波数ホッピング伝送ユニット８０２とを含み、好ましくは、タイムスロット時間区間分割ユニット８０１を更に含んでも良い。
【００７７】
タイムスロット時間区間分割ユニット８０１は、アップリンク周波数ホッピングユニット８０３に接続し、予めタイムスロットを時間軸上で第１時間区間と第２時間区間とに分割する。
【００７８】
ディスパッチ情報受信・解析・転送ユニット９０１は、ディスパッチ情報送信ユニット８０３と、アップリンク周波数ホッピング伝送ユニット８０２とに接続し、送信されて来た周波数帯域を受信し、二つの周波数帯域での時間区間順番から周波数ホッピングパターンを解析し、割り当てられた周波数帯域と解析された周波数ホッピングパターンとをアップリンク周波数ホッピング伝送ユニット８０２に転送する。
【００７９】
アップリンク周波数ホッピング伝送ユニット８０３は、タイムスロット時間区間分割ユニット８０１と、ディスパッチ情報受信・解析・転送ユニット９０１とに接続し、周波数ホッピングパターンに従って、予め分割された第１時間区間で割り当てられた一つの周波数帯域において伝送を行った後、予め分割された第２時間区間で割り当てられた周波数帯域において伝送を行う。
【００８０】
前述の実施形態から分かるように、本発明はタイムスロットを時間軸上で第１時間区間と第２時間区間とに分割し、周波数帯域毎に一つ以上の継続的なＲＵを含む二つの周波数帯域を割り当て、２グループのＲＵを周波数ホッピングに使用された二つの周波数帯域に割り当て、当該割り当てられた周波数帯域と周波数ホッピングパターンを端末に通知し、端末は周波数ホッピングパターンに従って予め分割された第１時間区間内で割り当てられた一つの周波数帯域において伝送を行った後、予め分割された第２時間区間内で割り当てられたもう一つの周波数帯域にホッピングして伝送を行い、代替フレーム構造（Ａｌｔｅｒｎａｔｉｖｅ  Ｆｒａｍｅ  Ｓｔｒｕｃｔｕｒｅ）システムが一つのＴＴＩ内での周波数ホッピングを実現させ、周波数ダイバーシティ利得を取得できるようにする。勿論、本発明の実施形態におけるタイムスロットの分割に限らず、予めタイムスロットを多区間（具体的な状況に応じて第１〜第３の時間区間、第１〜第４の時間区間のように分割しても良い）に分割することもでき、第１〜第３の時間区間に分割することは第１、第２の時間区間に分割することと類似するため、ここでは説明を省略する。
【００８１】
本明細書では上述した実施形態を参照し本発明を詳しく解説したが、当業者により、上述した技術的な解決手段を改造し、またはその中の一部の技術要素を置換することもできる。そのような改造と置換は本発明の各実施形態の技術の範囲から逸脱するとは見なされない。
【図１】
2010518712.tif 000007
【図２】
2010518712.tif 000008
【図３】
2010518712.tif 000009
【図４−１】
2010518712.tif 000010
【図４−２】
2010518712.tif 000011
【図５】
2010518712.tif 000012
【図６−１】
2010518712.tif 000013
【図６−２】
2010518712.tif 000014
【図７】
2010518712.tif 000015
【図８】
2010518712.tif 000016
【図９】
2010518712.tif 000017
【図１０】
2010518712.tif 000018
【図１１】
2010518712.tif 000019
【国際調査報告】
2010518712.tif 000020
2010518712.tif 000021
2010518712.tif 000022
2010518712.tif 000023
2010518712.tif 000024
2010518712.tif 000025